(57)【特許請求の範囲】
【請求項１】
ダクト本体とダクト延設体に分割され、前記ダクト本体と前記ダクト延設体はそれぞれが嵌合する口端を設け、前記ダクト本体の口端に前記ダクト延設体の口端を内嵌し、前記ダクト本体の口端に隣接する位置にダクト分岐管を設け、前記ダクト延設体の口端が前記分岐管の一部を塞ぐように設けられることを特徴とする空調ダクト。
【請求項２】
請求項１記載の空調ダクトであって、前記ダクト延設体はダクト延設体の口端から前記ダクト本体の分岐管と同じ方向に屈曲していることを特徴とする空調ダクト。
【請求項３】
請求項１または請求項２記載の空調ダクトであって、前記ダクト本体の口端に隣接するダクト分岐管に接する側のダクト延設体の壁が、基部から先端に向かうに従いダクト延設体の内側開口の断面積を漸減するように設けることを特徴とする空調ダクト。
【発明の詳細な説明】
【０００１】
【発明の属する技術分野】
本発明は、ダクト本体とダクト延設体に分割され、前記ダクト本体と前記ダクト延設体はそれぞれが嵌合する口端を設け、前記ダクト本体の口端に前記ダクト延設体の口端を内嵌して設ける空調ダクトに関するものである。
【０００２】
【従来の技術】
従来の技術としては、一方のダクトの端部に他方のダクトの端部を挿入すると、被挿入側ダクトの雄部材が挿入側ダクトの雌部材の溝内に入り込むか、または挿入側の雄部材が被挿入側の雌部材内に入り込む構造としたものが存在している（実公平６−２８３２７号公報参照）。
【０００３】
【発明が解決しようとする課題】
しかしながら、前記従来技術においては、２つのダクトは結合部の雌雄部材を除いてよく似ている形状をしているので、結合部で分岐される空気流はほぼ等しく２分される。しかし、ダクトの形状が異なり、特に開口面積の異なる場合では、該従来技術の手段では所望風量に分けることが難しい。さらに、本発明の請求項２記載の発明のように、ダクト延設体がダクト延設体の口端から直ぐにダクト本体の分岐管と同じ方向に屈曲しているような場合には、さらに難しくなる。
【０００４】
本発明は、このような事情に鑑み、ダクトの曲がる部分でダクト本体とダクト延設体に分割され、前記ダクト本体と前記ダクト延設体はそれぞれが嵌合する口端を設け、前記ダクト本体の口端に前記ダクト延設体の口端を内嵌し、前記ダクト本体の口端に隣接する位置にダクト分岐管を設け、前記ダクト延設体の口端が前記分岐管の一部を塞ぐように設け、前記ダクト延設体はダクト延設体の口端から前記ダクト本体の分岐管と同じ方向に屈曲するようにし、前記ダクト本体の口端に隣接するダクト分岐管に接する側のダクト延設体の壁が、基部から先端に向かうに従いダクト延設体の内側開口の断面積を漸減すように設ける空調ダクトを提供することを目的とするものである。
【０００５】
【課題を解決するための手段】
本発明は、前記課題の解決を図ったもので、次のような技術手段を採用した。請求項１記載の発明においては、ダクト本体とダクト延設体に分割され、前記ダクト本体と前記ダクト延設体はそれぞれが嵌合する口端を設け、前記ダクト本体の口端に前記ダクト延設体の口端を内嵌し、前記ダクト本体の口端に隣接する位置にダクト分岐管を設け、前記ダクト延設体の口端が前記分岐管の一部を塞ぐように設けるという技術手段を採用した。
この請求項１により、ダクト本体の口端に隣接する位置にダクト分岐管が設けられているので、口端の剛性が低下し撓み易くなっているが、ダクト延設体の口端をダクト本体の口端に内嵌するので剛性が向上し、また、ダクト延設体の口端をダクト本体の口端に隣接するダクト分岐管を必要なだけ塞ぐことにより（ダクト延設体の口端の長さを調整するだけで）、分岐管への空気量を容易に調整できる。
【０００６】
請求項２記載の発明においては、請求項１記載の空調ダクトであって、前記ダクト延設体はダクト延設体の口端から前記ダクト本体の分岐管と同じ方向に屈曲しているという技術手段を採用した。
この請求項２により、ダクト本体と嵌合するダクト延設体は、ダクト延設体の口端からダクト本体の分岐管と同じ方向に屈曲しているので、ダクト本体からダクト延設体へと送られる空気の多くがダクト本体の口端に隣接する位置に設けたダクト分岐管から吹き出してしまい、延設体からの空気の吹き出し量が少なくなる。しかしながら、ダクト延設体の口端がダクト本体の分岐管の一部を塞ぐように設けられているので、ダクト本体の口端に隣接する位置に設けた分岐管からの吹き出し量を容易に調整でき、確実にダクト延設体側へ空気を送ることができる。
【０００７】
請求項３記載の発明においては、請求項１または請求項２記載の空調ダクトであって、前記ダクト本体の口端に隣接するダクト分岐管に接する側のダクト延設体の壁が、基部から先端に向かうに従いダクト延設体の内側開口の断面積を漸減するように設けるという技術手段を採用した。
この請求項３により、ダクト延設体のダクト本体のダクト分岐管に接する側の壁は、ダクト本体へダクト延設体を内嵌するときに、ガイドとなるので嵌合し易い。この壁は、ダクト内を流れる空気の配風板として作用し、ダクト本体の分岐管から吹き出す空気量の調整が口端の長さを調整するだけで容易にできる。この壁（配風板）は、ダクト延設体と一体に成形されているので、剛性が高い。また、前記ダクト延設体はダクト延設体の口端から前記ダクト本体の分岐管と同じ方向に屈曲している場合には、ダクト延設体に流れ込む空気をスムーズに導くことが可能となり、ダクト延設体側とダクト本体の分岐管側との空気の送付量の調整が容易にできる。
【０００８】
【実施例】
以下、本発明の一実施例を添付図面で詳細に説明する。
本発明は、ヒーターユニットから吐出される空気を車室内に向かって吹き出すように案内する空調ダクトに関するものである。
本空調ダクトは、ダクト本体２とダクト延設体１とから構成されている。ダクト本体２とダクト延設体１は、ポリエチレンなどの合成樹脂をブロー成形によって、それぞれ成形される。成形後に、捨て袋などの不要部をカットする。
【０００９】
ダクト本体２は、図示しないヒーターユニットの先端に接続する開口６とダクト分岐管７を有している。車幅方向の一端が雌型となり、ダクト延設体１の一端の雄型と嵌合するようになっている。
ダクト本体２の一端の雌型口端８に隣接する位置に、車両後方（乗員側）へ空気を吹き出す分岐管７が設けられ、ここに別体のセンターベンチが取り付けられるようになっている。しかし、ダクト本体２の一端の雌型口端８に隣接する位置に分岐管７が設けられているので、ダクト延設体１と接合する部分の剛性が低く、撓み易くなっている。
【００１０】
なお、この雌型口端８には、フランジ１０が形成されている。ダクト本体２の他端１２は車両の前方側端に設けられるサイドベンチを取り付けるようになっている。このほかに、センターベンチの取り付け場所１３が３ヶ所設けられている。
【００１１】
本発明では、ダクト延設体１の一端は雄型口端９で、前記ダクト本体２の一端の雌型口端８と嵌合するようになっている。そのため、ダクト本体２の一端の雌型口端８に隣接する位置に分岐管７が設けられた部分が撓み易かったが、剛性が上がり強固なものとなる。また、このダクト延設体１の口端には、フランジ１１が形成されている。ダクト本体２の雌型口端８とダクト延設体１の雄型口端９の各フランジ１０、１１は、嵌合したときに、位置決めとなり、さらにダクト内を流れる空気漏れを防止するものである。
【００１２】
ダクト延設体１の他端１４は車両の前方側端に設けられるサイドベンチを取り付けるようになっている。ダクト延設体１の雄型口端９の後側面４（乗員側）は、先端へ向かって前方方向へ傾斜し、上下面３は水平にしている。この後側面４は、ダクト本体２へダクト延設体１を内嵌するときのガイド機能を有しているので、嵌合がし易い。
【００１３】
また、この後側面４はダクト内を流れる空気の配風板の機能を有している。この配風板は、ダクト本体２の分岐管７から吹き出す空気量を調整するとともに、ダクト延設体１の他端のサイドベンチへ空気をスムーズに送る働きをしている。さらに後側面（配風板）４は、ダクト延設体１と一体に成形されているので、剛性が高い。
【００１４】
また、ダクト延設体１は、雄型口端９の基部で車両後方（乗員側）へ向けて曲げられるとともに、ダクト内の断面積が小さくなっているような場合には、特に前記後側面（配風板）４の角度が重要不可欠なものとなる。
【００１５】
なお、これら雄型および雌型の口端９、８は、本来不要である捨て袋をカットして形成しているものなので、製造コストを増加させることがない。また、ダクト延設体１の雄型口端９の長さを調整するだけで、容易に風量調整ができる。
【００１６】
次に、本発明である空調ダクトの製造について詳細に説明する。
本空調ダクトの製造は、まずブロー成形後に捨て袋などの不要部をカットし、さらに空調ダクトを車体に取り付けるための取付孔を開け、ダクト本体２をダクト延設体１と嵌合させて治具に載置する。そして、雄型および雌型の口端９、８に設けたブラインドリベット用の孔に、ブラインドリベット５を通してダクト本体２とダクト延設体１を固定する（図４を参照）。なお、このダクト本体２とダクト延設体１との固定には、ブラインドリベット５に限定されず、クリップやネジなどを用いても良い。また、超音波溶着や振動溶着によって、固定することもできる。なお、この超音波溶着や振動溶着を用いると空調ダクトのリサイクル性が向上する。
【００１７】
第２実施例としては、第５図（Ａ）に示すように、ダクト延設体１の雄型口端９の形状が、実施例１のように開口面積が漸減するものではなく、ダクト本体２の雌型口端８に隣接する分岐管７の一部を垂直に塞ぐものも考えられる。
【００１８】
また、第３実施例として第５図（Ｂ）に示すように、ダクト延設体１の雄型口端９の形状は、ダクト本体２の分岐管７側の壁と、この壁に対向する壁が基部から先端に向かって互いに絞られ、開口面積を漸減するものも考えられる。このことによってダクト延設体１の雄型口端９のダクト本体２の雌型口端８への挿入性がさらに向上するものである。
【００１９】
【発明の効果】
本発明は、以上の構成を採用した結果、次のような効果を得ることができる。
（１）ダクト本体の口端に隣接する位置にダクト分岐管が設けられているので、口端の剛性が低下し撓み易くなっているが、ダクト延設体の口端をダクト本体の口端に内嵌するので、剛性が向上する。
（２）ダクト延設体の口端をダクト本体の口端に隣接するダクト分岐管を必要なだけ塞ぐことにより（ダクト延設体の口端の長さを調整するだけで）、分岐管への空気量を容易に調整できる。
（３）ダクト本体と嵌合するダクト延設体は、ダクト延設体の口端からダクト本体の分岐管と同じ方向に屈曲しているので、ダクト本体からダクト延設体へと送られる空気の多くがダクト本体の口端に隣接する位置に設けたダクト分岐管から吹き出してしまい、延設体からの空気の吹き出し量が少なくなる。しかしながら、ダクト延設体の口端がダクト本体の分岐管の一部を塞ぐように設けられているので、ダクト本体の口端に隣接する位置に設けた分岐管からの吹き出し量を容易に調整でき、確実にダクト延設体側へ空気を送ることができる。
（４）ダクト延設体のダクト本体のダクト分岐管に接する側の壁は、ダクト本体へダクト延設体を内嵌するときに、ガイドとなるので嵌合し易い。この壁は、ダクト内を流れる空気の配風板として作用し、ダクト本体の分岐管から吹き出す空気量の調整が口端の長さを調整するだけで容易にできる。この壁（配風板）は、ダクト延設体と一体に成形されているので、剛性が高い。また、前記ダクト延設体はダクト延設体の口端から前記ダクト本体の分岐管と同じ方向に屈曲している場合には、ダクト延設体に流れ込む空気をスムーズに導くことが可能となり、ダクト延設体側とダクト本体の分岐管側との空気の送付量の調整が容易にできる。
【図面の簡単な説明】
【図１】本発明の第１実施例である空調ダクトの全体斜視図である。
【図２】本発明の第１実施例である空調ダクトの要部分解斜視図である。
【図３】本発明の第１実施例である空調ダクトの要部である分割したダクト延設体とダクト本体を嵌合組み付けた斜視図である。
【図４】本発明の第１実施例である空調ダクトの要部断面図である。
【図５】本発明である空調ダクトの第２実施例を示す斜視図と第３実施例を示す平面図である。
【符号の説明】
１‥‥ダクト延設体                      ２‥‥ダクト本体
３‥‥上下面                            ４‥‥後側面（配風板）
５‥‥ブラインドリベット                ６‥‥開口
７‥‥分岐管                            ８‥‥雌型口端
９‥‥雄型口端                        １０‥‥フランジ
１１‥‥フランジ                        １２‥‥ダクト本体の他端
１３‥‥センターベンチの取り付け場所    １４‥‥ダクト延設体の他端
【図１】
0003581846.tif 000002
【図２】
0003581846.tif 000003
【図３】
0003581846.tif 000004
【図４】
0003581846.tif 000005
【図５】
0003581846.tif 000006